(57)【要約】      （修正有）【課題】インテリジェント型の交流／直流最大出力でバッテリを充電管理する充電装置を提供する。【解決手段】出力変換ユニットと、出力変換ユニットに電気的に結合される充電制御装置を含み、充電制御装置は、マイクロコントローラと、マイクロコントローラに電気的に接続される電圧検出ユニットと、電流検出ユニットと、温度検出ユニットと、通信ポートを含む。充電制御装置は、バッテリ群を充電可能であり、出力変換ユニットによりバッテリ群を充電管理し、バッテリ群は、通信ポートを通じてバッテリのパラメータを提供し、マイクロコントローラは、電圧検出ユニットにより検出されたバッテリ群の電圧、電流検出ユニットにより検出された充電器の出力電流、及び、温度検出ユニットにより検出された充電器の温度を受信して充電出力を演算し、即座に最大出力を追跡する。【選択図】図２
0003224344.tif 000002
【実用新案登録請求の範囲】
【請求項１】
インテリジェント型の交流／直流最大出力でバッテリを充電管理する充電装置であって、
出力変換ユニットと、
前記出力変換ユニットに電気的に結合される充電制御装置、を含み、
前記充電制御装置は、
マイクロコントローラと、
前記マイクロコントローラに電気的に接続される電圧検出ユニットと、
前記マイクロコントローラに電気的に接続される電流検出ユニットと、
前記マイクロコントローラに電気的に接続される温度検出ユニットと、
前記マイクロコントローラに電気的に接続される通信ポート、を含み、
前記充電制御装置は、前記充電制御装置に電気的に接続されるバッテリ群を充電可能であり、前記充電制御装置は前記出力変換ユニットによって前記バッテリ群を充電管理し、前記バッテリ群は、前記通信ポートを通じて前記マイクロコントローラにバッテリのパラメータを提供し、
前記マイクロコントローラは、前記電圧検出ユニットによって検出された前記バッテリ群の電圧、前記電流検出ユニットによって検出された充電器の出力電流、及び、前記温度検出ユニットによって検出された前記充電器の温度を受信して充電出力を演算することで、即座に最大出力を追跡可能である装置。
【請求項２】
上記の即座に最大出力を追跡する際には、前記バッテリ群の電圧を検出したあと、マイクロプロセッサの論理ユニットにフィードバックして演算し、且つ、前記バッテリ群の瞬時出力電流を検出するとともに、前記充電器の温度変化を検出し、上記のパラメータをマイクロプロセッサの論理ユニットにより演算することで最大出力を追跡し、且つ、前記出力変換ユニットに対し制御信号を出力することで、直流の出力を調整する請求項１に記載のインテリジェント型の交流／直流最大出力でバッテリを充電管理する充電装置。
【請求項３】
前記充電器は、更に、前記バッテリ群との通信により決定可能な充電プログラムを含み、前記充電プログラムは、事前充電モード、最大出力充電モード、定電圧充電モード及び充電完了モードを順に含む請求項１に記載のインテリジェント型の交流／直流最大出力でバッテリを充電管理する充電装置。
【請求項４】
前記バッテリのパラメータは、バッテリ電圧、バッテリ電流及び温度を含む請求項１に記載のインテリジェント型の交流／直流最大出力でバッテリを充電管理する充電装置。
【請求項５】
前記充電プログラムは、最大出力充電モードの段階において、前記充電器の温度に基づいて負荷を１回低下させるか、連続的且つ段階的に複数回低下させても負荷低下後に最大出力の電流の大きさに回復可能である請求項３に記載のインテリジェント型の交流／直流最大出力でバッテリを充電管理する充電装置。
【考案の詳細な説明】
【技術分野】
【０００１】
本考案はバッテリの充電装置に関し、特に、インテリジェント型の交流／直流最大出力でバッテリを充電管理する充電装置に関する。
【背景技術】
【０００２】
電子機器には、例えば、ポータブル式の電話、ノートパソコン、タブレットＰＣ等の電子装置、或いは、電動バイク、電動自転車といったその他の電動機械・装置がある。一般的に、これらの電子装置や電動機械・装置には、内部で再充電可能なバッテリが配置されている。これらのポータブル式電子装置の体積、或いは電動機械・装置に収容可能なバッテリの体積及びこれら装置に配置される電池セルの容量には限界がある。そのため、これらのポータブル式電子装置又は電動機械・装置を繰り返し使用できるよう、充電装置を用いてこれら装置の電池セルを充電する必要がある。
【０００３】
一般的に、適切なバッテリ充電器及び充電方式を選択する際には、各種タイプについて、充電特性の利点や欠点に基づき評価する必要がある。
【０００４】
従来のバッテリ充電器では、直流電流を固定的に出力し、バッテリ電圧が低電圧から高電圧に上昇するプロセスを経る。よって、充電器を十分なワット数となるよう設計しておかなければ、短時間の最大出力に対応することができない。図１は、充電器の充電過程全体における出力電流（Ｉ＿ｏｕｔｐｕｔ）及び出力電圧（Ｖ＿ｏｕｔｐｕｔ）の曲線を示す。点線曲線１０１は充電器の出力電流（Ｉ＿ｏｕｔｐｕｔ）、実線曲線１０３は充電器の出力電圧（Ｖ＿ｏｕｔｐｕｔ）を表している。全体を通じて、充電プログラムには、事前充電モード（Ｐｒｅ−ｃｈａｒｇｅ  ｍｏｄｅ）、定電流モード（ｃｏｎｓｔａｎｔ  ｃｕｒｒｅｎｔ  ｍｏｄｅ）、定電圧モード（ｃｏｎｓｔａｎｔ  ｖｏｌｔａｇｅ  ｍｏｄｅ）及び充電完了モードが含まれる。そのため、開始時の充電出力が低く、電源供給装置の最大能力で全出力することが不可能なことから、充電効率が低下し、充電時間が長くなる。上述した従来の充電方式では、バッテリ充電器が定電流−定電圧という２段階の充電方法を採用している。第１段階では、小さな定電流で事前に短い時間だけ充電したあと、最大電流でバッテリを充電し、所望の電圧に到達させる。次に、第２段階では定電圧で充電する。即ち、バッテリ電圧が調整電圧まで上昇すると充電電流が減少し、過充電を回避すべくバッテリ電圧が調整される。このモードでは、バッテリの充電が完了し、且つバッテリのインピーダンスが低下すると、電流が徐々に減少する。そして、電流が予め定めた程度まで低下すると充電が停止される。
【０００５】
そのため、従来の充電方式では最大電流を固定してバッテリを充電するしかなく、出力パワーがバッテリ電圧の高さに応じて変化するため、最大出力を維持することができない。
【０００６】
上記に鑑みて、本考案は、バッテリ電圧、充電電流及び充電温度を検出してバッテリを充電するための充電プログラムを決定することで、バッテリを高速充電し、使用者の待ち時間を短縮して、使用者の業務効率を向上させるとの目的を達成する充電装置を提供する。具体的な方式としては、マイクロコントローラの演算により充電出力を調整及び追跡し、充電器及びバッテリの状態に基づいて充電条件を変更する。
【考案の概要】
【考案が解決しようとする課題】
【０００７】
本考案は、インテリジェント型の交流／直流最大出力でバッテリを充電管理する充電装置を提供することを目的とする。前記充電装置は、マイクロコントローラの演算により充電出力を調整し、充電器及びバッテリの状態に基づいて充電条件を変更する。
【課題を解決するための手段】
【０００８】
上記の目的を実現すべく、本考案は、インテリジェント型の交流／直流最大出力でバッテリを充電管理する充電装置を提供する。当該装置は、出力変換ユニットと、前記出力変換ユニットに電気的に結合される充電制御装置を含み、前記充電制御装置は、マイクロコントローラと、前記マイクロコントローラに電気的に接続される電圧検出ユニットと、前記マイクロコントローラに電気的に接続される電流検出ユニットと、前記マイクロコントローラに電気的に接続される温度検出ユニットと、前記マイクロコントローラに電気的に接続される通信ポートを含み、前記充電制御装置は、前記充電制御装置に電気的に接続されるバッテリ群を充電可能であり、前記充電制御装置は前記出力変換ユニットによって前記バッテリ群を充電管理し、前記バッテリ群は、前記通信ポートを通じてバッテリのパラメータを提供し、前記マイクロコントローラは、前記電圧検出ユニットによって検出された前記バッテリ群の電圧、前記電流検出ユニットによって検出された充電器の出力電流、及び、前記温度検出ユニットによって検出された前記充電器の温度を受信して充電出力を演算することで、即座に最大出力を追跡可能である
【０００９】
上記の即座に最大出力を追跡する際には、前記バッテリ群の電圧を検出したあと、マイクロプロセッサの論理ユニットにフィードバックして演算し、且つ、前記バッテリ群の瞬時出力電流を検出するとともに、前記充電器の温度変化を検出し、上記のパラメータをマイクロプロセッサの論理ユニットにより演算することで最大出力を追跡し、且つ、前記出力変換ユニットに対し制御信号を出力することで、直流の出力を調整する。
【００１０】
上記の充電制御装置は、更に、前記出力変換ユニットの出力端と前記バッテリ群を電気的に接続し、前記バッテリ群と前記充電制御装置との充電及び切断モードを切り替えるための出力スイッチを含む。
【００１１】
前記出力変換ユニットに出力する制御信号は、前記出力変換ユニットと前記充電制御装置とを結合するフォトカプラにより伝送される。
【００１２】
前記充電プログラムはバッテリ群との通信により決定可能であり、前記充電プログラムは、事前充電モード、最大出力充電モード、定電圧充電モード及び充電完了モードを順に含む。
【考案の効果】
【００１３】
前記充電プログラムは、最大出力充電モードの段階において、前記充電器の温度に基づいて負荷を１回低下させるか、連続的且つ段階的に複数回低下させても負荷低下後に最大出力の電流の大きさに回復可能である。
【図面の簡単な説明】
【００１４】
【図１】図１は、従来技術におけるバッテリの充電曲線を示す。
【図２】図２は、本考案に基づく充電器配置の機能ブロック図である。
【図３Ａ】図３Ａは、本考案の好ましい実施例に基づく最大出力追跡モードによる充電曲線を示す。
【図３Ｂ】図３Ｂは、本考案の好ましい実施例に基づく最大出力追跡モードにより電流調整を行う場合の充電曲線を示す。
【図４】図４は、本考案の好ましい実施例に基づく充電回路の配置及び回路系のブロック図を示す。
【図５】図５は、本考案の好ましい実施例に基づくソフトウエアの制御方法を示す。
【図６】図６は、本考案の好ましい実施例に基づく充電系のブロック図である。
【考案を実施するための形態】
【００１５】
ここで、本考案では、考案の具体的実施例及び観点について詳細に記載する。これらの記載は本考案の構造又はステップ、フローを解釈するためのものであり、説明のためであって、本実用新案登録請求の範囲を制限するものではない。そのため、明細書の具体的実施例及び好ましい実施例以外にも、本考案はその他の異なる実施例において幅広く実行可能である。以下では、特定の具体的実施例を挙げて本考案の実施形態につき説明する。なお、当該技術を熟知する者であれば、本明細書に開示の内容から本考案の効果及び利点を容易に理解可能である。また、本考案はその他の具体的実施例によっても運用及び実施可能である。本明細書で詳述する各詳細事項はニーズの違いに応じて応用すればよく、且つ、本考案の精神を逸脱しなければ各種の補足又は変更が可能である。
【００１６】
上述したように、本考案は充電式バッテリについて、インテリジェント型の交流／直流最大出力でバッテリを充電管理する充電装置を提供する。当該装置は、充電式バッテリの電圧及び充電器自体の温度を測定することで、最大出力を決定可能である。これにより、充電器の効果を完全活用し、充電効率を向上させることで、バッテリを高速充電し、使用者の待ち時間を短縮するとの効果を達成することが期待される。具体的な方式としては、マイクロプロセッサの演算により充電出力を調整及び追跡し、充電器及びバッテリの状態に基づいて充電条件を変更する。
【００１７】
充電効率を向上し、充電時間を短縮するために、本考案で採用する充電器配置は図２に示すように、直流／交流（ＡＣ／ＤＣ）コンバータ２０１、マイクロプロセッサ２０３、電圧検出ユニット２０５、電流検出ユニット２０７及び温度検出ユニット２０９を含む。電圧検出ユニット２０５及び電流検出ユニット２０７がバッテリ２１１と通信し、マイクロプロセッサ２０３が、バッテリ２１１との通信によりフィードバックされた電圧・電流パラメータ、及び温度検出ユニット２０９により検出された充電器の温度に基づいて、演算により充電出力を調整及び追跡することで、充電プログラムを決定する。直流／交流（ＡＣ／ＤＣ）コンバータ２０１、マイクロプロセッサ２０３、電圧検出ユニット２０５、電流検出ユニット２０７及び温度検出ユニット２０９は充電器として統合され、バッテリ２１１を充電する。充電器の充電プログラムは、事前充電モード、最大出力モード、定電圧モード及び充電完了モードを順に含む。詳細な回路の動作及び操作については、後述の図４及び図６で詳細に説明する。
【００１８】
本考案で採用する充電方法は、好ましい実施例において、図３（Ａ）に示すように、バッテリ電圧（実線曲線）３０１が低いときに、図中の最大出力モード時の充電電流曲線のように充電電流（点線曲線）３０３を上昇させることで、出力の最大値を維持可能とする。そして、予め定められた電圧値に達すると（従来の充電方式と類似）、定電圧モード及び充電完了モードで充填プログラム全体を完了させる。
【００１９】
他の好ましい実施例では、図３（Ｂ）に示すように、前記最大出力追跡モードにおいて、バッテリの充填状態に関するパラメータ（温度、電圧、電流等）に基づいて負荷を１回低下させる（或いは、連続的且つ段階的に複数回低下させても、負荷低下後に最大出力の電流の大きさに回復可能な）充電曲線３２０を用いる。そして、予め定められた電圧値に達すると（従来の充電方式と類似）、定電圧モード及び充電完了モードで充填プログラム全体を完了させる。
【００２０】
充電器の回路配置は、図４に示すように、バッテリ群４１１を充電するための出力変換ユニット４０１及び最大出力制御装置４０３を含む。出力変換ユニット４０１の機能としては、台湾電力社の電力系統からの交流電流（ＡＣ）を安全な直流電流（ＤＣ）に変換し、バッテリを充電するための電源を提供するとともに、例えば最大出力制御装置４０３といった周辺回路に対し電源を提供する。最大出力の制御にあたっては、最大出力制御装置４０３の内部におけるバッテリ電圧センサ４０５がバッテリ群４１１の電圧Ｖｂを検出する。また、電流センサ４０７によってバッテリ４１１ａの出力電流Ｉｏを検出するとともに、温度センサ４０９によって充電器の温度を検出する。そして、マイクロプロセッサ４０３ａにより演算を行い、デジタル信号Ｖ＿ＰＷＭ及びＣ＿ＰＷＭを出力し、これらをそれぞれローパスフィルタ（ＬＰＦ）４１３，４１３ａに通過させてアナログ信号Ｖ＿ＲＥＦ及びＣ＿ＲＥＦに変換することで、対応する電圧回路フィードバック補償オペアンプ４１５及び電流回路フィードバック補償オペアンプ４１５ａの入力基準信号とする。この基準入力を実際の出力と減算することで誤差信号が得られる。実際のバッテリ電圧（バッテリ電流）の出力は、ＤＣ出力電圧センサ４１７（電流センサ４０７）により検出される。次に、負のフィードバック制御によりＣＰレベルを調整し、出力変換ユニット４０１がＣＰレベルの大きさに基づいて、充電出力の規格を満たすようＤＣ  ｏｕｔｐｕｔの値を調整する。ここで、前記デジタル信号Ｖ＿ＰＷＭの大きさにより出力電圧の大きさが決定されるが、バッテリ電圧Ｖｂが過放電状況（電圧がやや低い）の場合、充電器は事前充電モードにおける開始時の充電電圧を高く設定しすぎないほうがよい。これにより、出力切替スイッチ４５０両側の電圧差によって突入電流（ｉｎｒｕｓｈ  ｃｕｒｒｅｎｔ）が発生し、部品が破損するとの事態が回避される。また、充電器の温度を検出するのは、高温と判断したときに室温下における充電電圧よりもやや低い出力電圧を設定するためである。この信号（Ｖ＿ＰＷＭ）は、マイクロプロセッサによる演算で生成する。前記デジタル信号Ｃ＿ＰＷＭの大きさは、バッテリ電圧Ｖｂ及び充電器の現時点における温度により決定される。この信号（Ｃ＿ＰＷＭ）は、マイクロプロセッサによる演算で生成する。出力切替スイッチ４５０は出力スイッチに等しく、特定の条件下でバッテリと充電器との接続を切断することで、逆方向電流による損傷を回避可能とする。バッテリが通信ポート４６０に連結及び接続されると、通信によりバッテリと充電器との主従関係を構築可能となる。バッテリが主、充電器が従となる場合には、例えばバッテリ電圧、バッテリ電流及び温度といったパラメータをバッテリから送出することで、充電器のパラメータを調整可能である。反対に、充電器が主、バッテリが従の場合には、バッテリ電圧Ｖｂ及び充電器の温度から充電プログラムを判断する。図面の点線矢印は系統における出力の流れを示しており、実線矢印は系統における信号の流れを示している。
【００２１】
図５は、最大出力追跡ソフトの制御操作方法を示している。上記の最大出力の追跡では、バッテリ電圧（Ｖｂ）を検出（５０１）したあと、マイクロプロセッサの論理ユニットにフィードバックして演算する（５０３）。また、バッテリの瞬時出力電流（Ｉｏ）を検出するとともに、充電器の温度変化を検出し（５０５）、上記のパラメータをマイクロプロセッサの論理ユニットにより演算することで（５０３）最大出力を追跡する。且つ、前記交流／直流コンバータに対し出力制御信号（Ｃ＿ＰＷＭ、Ｖ＿ＰＷＭ）を出力することで（５０７）、直流の出力を調整する。
【００２２】
図６は、本考案における最も好ましい実施例の系統ブロック図を示している。前記系統は、バッテリ群６１１を充電するための出力変換ユニット６０１及び最大出力制御装置６０３を含む。出力変換ユニット６０１は、ＥＭＩ濾波整流器６０５、力率改善回路（ＰＦＣ）６０７、直流／直流コンバータ６０９、電源供給制御装置６１３、変圧器６１５及び整流器６１７を含む。ＡＣ入力電圧はＥＭＩ濾波整流器６０５を経由して濾波及び整流され、直流（ＤＣ）電圧となる。直流電圧は力率改善回路（ＰＦＣ）６０７を経由して位相が調整されたあと、直流／直流コンバータ６０９を経由して変圧器６１５における一次側の入力端に出力される。また、電源供給制御装置６１３によって、エネルギーを蓄積するよう制御する。変圧器６１５の二次側に接続される整流器６１７によって、直流出力（ＤＣ  ｏｕｔｐｕｔ）は最大出力制御装置６０３を経由してバッテリ群６１１を充電するよう制御される。最大出力の制御にあたっては、最大出力制御装置６０３の内部におけるバッテリ電圧センサ６１９がバッテリ群６１１の電圧Ｖｂを検出する。また、電流センサ６２１によってバッテリ６１１ａの出力電流Ｉｏを検出するとともに、温度センサ６２３によって充電器の温度を検出する。そして、マイクロコントローラ（ＭＣＵ）６０３ａにより演算を行い、デジタル信号Ｖ＿ＰＷＭ及びＣ＿ＰＷＭを出力し、これらをそれぞれローパスフィルタ（ＬＰＦ）６２５，６２５ａに通過させてアナログ信号Ｖ＿ＲＥＦ及びＣ＿ＲＥＦに変換することで、対応する電圧回路フィードバック補償オペアンプ６２７及び電流回路フィードバック補償オペアンプ６２７ａの入力基準信号とする。この基準入力を実際の出力と減算することで誤差信号が得られる。実際の電圧（電流）の出力は、直流出力電圧センサ６３９（電流センサ６２１）により検出される。次に、負のフィードバック制御によりＣＰレベルを調整したあと、フォトカプラ６２９によってこのフィードバック信号ＣＰを出力変換ユニット６０１内部の電源供給制御装置６１３におけるフィードバック制御ポートにフィードバックする。これにより、出力変換ユニット６０１はＣＰレベルに基づいて、充電出力の規格を満たすようＤＣ  ｏｕｔｐｕｔ値を調整可能となる。ここで、前記デジタル信号Ｖ＿ＰＷＭの大きさにより出力電圧の大きさが決定されるが、バッテリ電圧Ｖｂが過放電状況（電圧がやや低い）の場合、充電器は事前充電モードにおける開始時の充電電圧を高く設定しすぎないほうがよい。これにより、出力切替スイッチ６５０両側の電圧差によって突入電流（ｉｎｒｕｓｈ  ｃｕｒｒｅｎｔ）が発生し、部品が破損するとの事態が回避される。また、充電器の温度を検出するのは、高温と判断したときに室温下における充電電圧よりもやや低い出力電圧を設定するためである。この信号（Ｖ＿ＰＷＭ）は、マイクロコントローラによる演算で生成する。前記デジタル信号Ｃ＿ＰＷＭの大きさは、バッテリ電圧Ｖｂ及び充電器の現時点における温度により決定される。この信号（Ｃ＿ＰＷＭ）は、マイクロコントローラによる演算で生成する。出力切替スイッチ６５０は出力スイッチに等しく、特定の条件下でバッテリと充電器との接続を切断することで、逆方向電流による損傷を回避可能とする。バッテリが通信ポート６６０に連結及び接続されると、通信によりバッテリと充電器との主従関係を構築可能となる。バッテリが主、充電器が従となる場合には、例えばバッテリ電圧、バッテリ電流及び温度といったパラメータをバッテリから送出することで、充電器のパラメータを調整可能である。反対に、充電器が主、バッテリが従の場合には、バッテリ電圧Ｖｂ及び充電器の温度から充電プログラムを判断する。図面の点線矢印は系統における出力の流れを示しており、実線矢印は系統における信号の流れを示している。
【００２３】
上述したように、本考案は、インテリジェント型の交流／直流最大出力でバッテリを充電管理する充電装置を提供する。当該装置は、バッテリ電圧、充電電流及び充電温度を検出し、マイクロコントローラの演算により充電出力を調整及び追跡するとともに、充電器とバッテリの状態に基づいて充電条件を変更する。そして、バッテリを充電するための充電プログラムを決定することで、バッテリを高速充電し、使用者の待ち時間を短縮して、使用者の業務効率を向上させるとの目的を達成する。
【００２４】
本文の範囲を逸脱しないことを前提に、前記インテリジェント型の交流／直流最大出力でバッテリを充電管理する充電装置は変形が可能である。よって、上記の記載に含まれ、且つ図面に示した内容は説明のためのものであって、限定を意図するものではないと解釈すべきである。また、以下の実用新案登録請求の範囲は、本文で記した全ての一般的特徴と特定の特徴、及び、本考案におけるインテリジェント型の交流／直流最大出力でバッテリを充電管理する充電装置の範囲の全ての記載を含み、表現上はこれらの間に位置するといえる。
【符号の説明】
【００２５】
１０１  点線曲線
１０３  実線曲線
２０１  直流／交流（ＡＣ／ＤＣ）コンバータ
２０３  マイクロプロセッサ
２０５  電圧検出ユニット
２０７  電流検出ユニット
２０９  温度検出ユニット
２１１  バッテリ
３０１  バッテリ電圧（実線曲線）
３０３  充電電流（点線曲線）
３２０  負荷低下電流曲線
４０１  出力変換ユニット
４０３  最大出力制御装置
４１１  バッテリ群
４０７  電流センサ
４０９  温度センサ
４０３ａ  マイクロプロセッサ
４１３，４１３ａ  ローパスフィルタ（ＬＰＦ）
４１５  電圧回路フィードバック補償オペアンプ
４１５ａ  電流回路フィードバック補償オペアンプ
４１７  ＤＣ出力電圧センサ
４５０  出力切替スイッチ
４６０  通信ポート
５０１  バッテリ電圧（Ｖｂ）の検出
５０３  マイクロプロセッサの論理ユニットにフィードバックして演算
５０５  バッテリの瞬時出力電流（Ｉｏ）を検出するとともに、充電器の温度変化を検出
５０５  前記パラメータをマイクロプロセッサの論理ユニットにより演算
５０７  出力制御信号（Ｃ＿ＰＷＭ、Ｖ＿ＰＷＭ）を出力
６０１  出力変換ユニット
６０３  最大出力制御装置
６１１  バッテリ群
６０５  ＥＭＩ濾波整流器
６０７  力率改善回路（ＰＦＣ）
６０９  直流／直流コンバータ
６１３  電源供給制御装置
６１５  変圧器
６１７  整流器
６１９  電圧センサ
６２１  電流センサ
６１１ａ  バッテリ
６２３  温度センサ
６０３ａ  マイクロコントローラ（ＭＣＵ）
６２５，６２５ａ  ローパスフィルタ（ＬＰＦ）
６２７  電圧回路フィードバック補償オペアンプ
６２７ａ  電流回路フィードバック補償オペアンプ
６２９  フォトカプラ
６３９  直流出力電圧センサ
６５０  出力切替スイッチ
６６０  通信ポート
【図１】
0003224344.tif 000003
【図２】
0003224344.tif 000004
【図３Ａ】
0003224344.tif 000005
【図３Ｂ】
0003224344.tif 000006
【図４】
0003224344.tif 000007
【図５】
0003224344.tif 000008
【図６】
0003224344.tif 000009